(57)【要約】  電子的なブレッドボード・システムはディスプレイ・スクリーンを含むコンピューティング・デバイスを含んでもよい。ディスプレイ・スクリーンは電子回路モデルを表示するための第１の部分、及び第１の部分に直接隣接する第２の部分を有する。電子的なブレッドボード・システムはまたディスプレイ・スクリーンの第２の部分に半透明のブレッドボードを含む。半透明のブレッドボードは複数の接点を露出する開口部の方形グリッドを有する半透明な表板を含む。複数の接点は開口部の方形グリッドの各行に沿って長さ方向に、且つ複数の接点を半透明な表板に連結する透明な背面板に直交するように配置される。電子的なブレッドボード・システムはグラフィック・コントローラを含む。グラフィック・コントローラは半透明のブレッドボードの行開口部及び／又は列開口部を照明して、電子回路モデルとのユーザー対話に応答してコンピュータ・モデルの電気部品の設置を導くことができる。
2019531545.tif 000002
【特許請求の範囲】
【請求項１】
電子的なブレッドボード・システムであって、
電子回路モデルを表示する第１の部分及び前記第１の部分に直接隣接する第２の部分を有するディスプレイ・スクリーンを備えるコンピューティング・デバイスと、
前記ディスプレイ・スクリーンの前記第２の部分上の半透明のブレッドボードであって、前記半透明のブレッドボードは、複数の接点を露出する開口部の方形グリッドを有する半透明な表板を備え、前記複数の接点は開口部の前記方形グリッドの各行に沿って長さ方向に配置され、前記複数の接点を前記半透明な表板に連結する透明な背面板に直交する、半透明のブレッドボードと、
半透明のブレッドボードの行開口部及び／又は列開口部を照明して、電子回路モデルとのユーザー対話に応答して、コンピュータ・モデルの電気部品の設置を導くように構成されるグラフィック・コントローラと
を備える、電子的なブレッドボード・システム。
【請求項２】
前記透明な背面板が、前記ディスプレイ・スクリーンからの光が前記透明な背面板及び前記複数の接点を通って通過し、開口部の前記方形グリッド内の前記行開口部及び／又は前記列開口部を照明するように、前記ディスプレイ・スクリーンに直接接して配置され、
前記ディスプレイ・スクリーンが前記コンピューティング・デバイスにおいて実行するための電子機器実験ソフトウェア・プログラムのグラフィカル・ユーザー・インターフェース（ＧＵＩ）を表示する、請求項１に記載の電子的なブレッドボード・システム。
【請求項３】
前記半透明のブレッドボードが、前記コンピューティング・デバイスに関連付けられたサーバーに連結して通信可能であり、前記コンピューティング・デバイスの前記ディスプレイ・スクリーン上で前記半透明のブレッドボードのレイアウト設置を導く、請求項１に記載の電子的なブレッドボード・システム。
【請求項４】
前記半透明のブレッドボードが、前記コンピューティング・デバイスに取り付けられる、又は前記コンピューティング・デバイスと一体化される有線接続を使用して前記コンピューティング・デバイスと電気的に連結される、請求項１に記載の電子的なブレッドボード・システム。
【請求項５】
前記複数の接点が前記半透明な表板のチャネル化される行を直線状に並んで配置されるＸ−接点及び前記半透明のブレッドボード内でチャネル化される列として配置されるＹ−接点を含み、前記半透明な表板の内部側上のＸ−レセプタクル・チャネル及びＹ−レセプタクル・チャネルに保持され、前記Ｘ−接点及び前記Ｙ−接点が前記半透明のブレッドボード内で前記列開口部及び／又は前記行開口部に沿って長さ方向に並べられる、請求項１に記載の電子的なブレッドボード・システム。
【請求項６】
前記Ｘ−接点及び前記Ｙ−接点が、電子機器部品端子を前記半透明な表板のチャネル壁に押圧して前記端子を前記半透明のブレッドボードに固定するように配置される、請求項５に記載の電子的なブレッドボード・システム。
【請求項７】
前記半透明のブレッドボードが、内蔵コネクタ及びマルチコネクタ、その終端に別個のコネクタを有し、前記Ｘ−接点のサブセットを前記内蔵コネクタを介して前記コンピューティング・デバイスに電気的に連結するデジタル通信ケーブルを備える、請求項５に記載の電子的なブレッドボード・システム。
【請求項８】
マルチコンダクタ、一端で前記コンピューティング・デバイスの前記コネクタに電気的に連結されるコネクタを有し、前記半透明のブレッドボード内に収容され、前記半透明のブレッドボードの前記Ｘ−接点及び前記Ｙ−接点に電気的に連結されるデジタル通信ケーブルを更に備える、請求項５に記載の電子的なブレッドボード・システム。
【請求項９】
前記半透明のブレッドボードが前側の雌ピン開口部及び後側の雌ピン開口部を備え、前記前側の雌ピン開口部は前記複数の接点に連結して開口部の任意の前記方形グリッドに取り付けられる電子機器部品の診断的読み取りをできるように構成される、請求項１に記載の電子的なブレッドボード・システム。
【請求項１０】
前記透明な背面板が、透明な粘着性の背面シートを備える、請求項１に記載の電子的なブレッドボード・システム。
【請求項１１】
前記透明な背面板が前記半透明のブレッドボードを前記コンピューティング・デバイスの前記ディスプレイ・スクリーンに接着するための粘着層を備える、請求項１に記載の電子的なブレッドボード・システム。
【請求項１２】
半透明のブレッドボードを使用する方法であって、
ユーザーが実験している回路を形成するために複数の電気部品及び複数の部品接続の説明を提供する電子ファイルにアクセスするステップと、
ディスプレイ・スクリーン上で前記半透明のブレッドボードを初期化、登録、及び／又は位置合わせすることのために、前記半透明のブレッドボード内の開口部の大きさ及び間隔に関する情報を得るステップと、
前記電子ファイルにおいて定義されるような前記複数の電気部品及び前記複数の部品接続を、ブレッドボード開口部のセットのうちの個々の１つにおいて接点を露出するように配置されたブレッドボード開口部のセットにマッピングするステップと、
前記位置合わせの視野内で、前記ブレッドボード開口部のセット及び前記複数の部品接続を、前記ディスプレイ・スクリーン上のトレース及びスポットを照明するための表示座標に変換するステップと
を含む、方法。
【請求項１３】
前記ユーザーにとって遠位である前記半透明のブレッドボードの底面を通して回路素子を設置するための場所を表示して、前記ユーザーにとって近位である前記半透明のブレッドボードを通して行／列開口部を照明するステップを更に含む、請求項１２に記載の方法。
【請求項１４】
前記半透明のブレッドボードを通して前記ユーザーに見える照明された開口部によって、前記接点のうちの１つと電気的に接触して回路素子を設置するために前記半透明のブレッドボードの場所を照明するステップを更に含む、請求項１２に記載の方法。
【請求項１５】
前記半透明のブレッドボードから回路特性をコンピューティング・デバイスで受信するステップと、前記回路特性に関連付けられる測定値を得るステップとを更に含む、請求項１２に記載の方法。
【請求項１６】
前記ディスプレイ・スクリーン上で前記半透明のブレッドボードを設置するための位置合わせポイントを照明するステップと、
前記ユーザーが前記半透明のブレッドボードとコンピューティング・デバイスとの位置合わせを完了する時に前記ユーザーから応答を検出するステップと
を更に含む、請求項１２に記載の方法。
【請求項１７】
命令を含み、実行された時方法を実施する、非一時的なコンピュータ可読媒体であって、前記方法は
回路素子の視覚的な表現を含む回路配線接続レイアウトを送信するステップと、
回路素子の選択を受信するステップと、
ユーザーが選択された回路素子を前記半透明のブレッドボード上のどこに設置するべきかを示す、半透明のブレッドボードの下の前記ディスプレイ・スクリーンの部分を照明するための信号をディスプレイ・スクリーンに送信するステップと
を備える、非一時的なコンピュータ可読媒体。
【請求項１８】
電子的なブレッドボード・システムであって、
電子回路モデルを表示する第１の部分及び前記第１の部分に直接隣接する第２の部分を有するディスプレイ・スクリーンを備えるコンピューティング・デバイスと、
前記ディスプレイ・スクリーンの前記第２の部分上の半透明のブレッドボードであって、前記半透明のブレッドボードは複数の接点を露出する開口部の方形グリッドを有する半透明な表板を備え、前記複数の接点は開口部の前記方形グリッドの各行に沿って長さ方向に配置され、前記複数の接点を前記半透明な表板に連結する透明な背面板に直交する、半透明のブレッドボードと、
電子回路モデルとのユーザー対話に応答して、コンピュータ・モデルの電気部品の設置を導くように前記半透明のブレッドボードの行開口部及び／又は列開口部を照明する手段と、
を備える、電子的なブレッドボード・システム。
【請求項１９】
前記透明な背面板が透明な粘着性の背面シートを備える、請求項１８に記載の電子的なブレッドボード・システム。
【請求項２０】
前記透明な背面板が前記半透明のブレッドボードを前記コンピューティング・デバイスの前記ディスプレイ・スクリーンに接着するための粘着層を備える、請求項１８に記載の電子的なブレッドボード・システム。
【発明の詳細な説明】
【技術分野】
【０００１】
本出願は、その開示が参照によりその全体が明示的に本明細書に組み込まれている、２０１６年９月１日に出願され「ＢＲＥＡＤＢＯＡＲＤ  ＡＮＤ  ＥＬＥＣＴＲＯＮＩＣＳ  ＥＸＰＥＲＩＭＥＮＴＡＴＩＯＮ  ＳＹＳＴＥＭ」と題する米国仮出願第６２／３８２５２８号の優先権を主張するものである。
【０００２】
本出願は回路設計に関し、より詳細にはブレッドボード及び電子機器実験システムに関する。
【背景技術】
【０００３】
ブレッドボードは一般に電気的な回路の実験モデルを作成するための基板として定義される。一般的には、ブレッドボードは回路の試作品を作る基礎として使用される。すなわち、ブレッドボードは電子回路の実際に動く試作品を構築するための構築基板として使用することができる。ブレッドボードという用語は、電子回路に電子機器部品を接続するための構築基板として木製のパン切り板を実際に使用していたことに由来する。今日では、用語「ブレッドボード」は電気的な部品のピンの接続をはんだ堆積物内で可能にするソルダーレスブレッドボードを連想させるものであり、このことによりブレッドボードが再利用できる。再利用可能性は一時的な試作品を作成すること及び回路設計の実験を行うことに重要である。したがって、ソルダーレスブレッドボードは工業技術教育における学生たちに極めてポピュラーである。
【０００４】
動作に際し、ブレッドボードは電子的なモデルにしたがって様々な回路素子及び電源を共に接続するための装置を提供する。従来、任意の特定の点における回路特性を決定するために、外部のテスト機器が回路に接続され得る。残念ながら、ブレッドボードは実際に動く試作品を構築するために回路部品及び電源を内部接続するためのいかなる案内も提供しない受動的なデバイスである。結果的に、ブレッドボード上の回路部品の配線には誤りがあり得、回路の誤動作をもたらすこともあり得る。
【発明の概要】
【課題を解決するための手段】
【０００５】
電子的なブレッドボード・システムはディスプレイ・スクリーンを含むコンピューティング・デバイスを含んでもよい。ディスプレイ・スクリーンは電子回路モデルを表示するための第１の部分、及び第１の部分に直接隣接する第２の部分を有する。電子的なブレッドボード・システムはまたディスプレイ・スクリーンの第２の部分に半透明のブレッドボードを含む。半透明のブレッドボードは複数の接点を露出する開口部の方形グリッドを有する半透明な表板を含む。複数の接点は開口部の方形グリッドの各行に沿って長さ方向に、且つ複数の接点を半透明な表板に連結する透明な背面板に直交するように配置される。電子的なブレッドボード・システムはグラフィック・コントローラを含む。グラフィック・コントローラは半透明のブレッドボードの行開口部及び／又は列開口部を照明して、電子回路モデルとのユーザー対話に応答してコンピュータ・モデルの電気部品の設置を導くことができる。
【０００６】
半透明のブレッドボードを使用する方法は、ユーザーが実験している回路を形成するために複数の電気部品及び複数の部品接続の説明を提供する電子ファイルにアクセスすることを含んでもよい。方法はまたディスプレイ・スクリーン上で半透明のブレッドボードを初期化、登録、及び／又は位置合わせすることのために、半透明のブレッドボード内の開口部の大きさ及び間隔に関する情報を得ることを含んでもよい。方法は更に電子ファイルにおいて定義されるように複数の電気部品及び複数の部品接続をブレッドボード開口部のセットのうちの個々の１つにおいて接点を露出するように配置されたブレッドボード開口部のセットにマッピングすることを含んでもよい。方法はまた、位置合わせの視野内で、ブレッドボード開口部のセット及び複数の部品接続を、ディスプレイ・スクリーン上のトレース及びスポットを照明するための表示座標に変換することを含んでもよい。
【０００７】
非一時的なコンピュータ可読媒体は命令を含み、実行された時方法を実施する。方法は回路素子の視覚的な表現を含む回路配線接続レイアウトを送信することを含んでもよい。方法はまた回路素子の選択を受信することを含んでもよい。方法は更に、ユーザーが選択された回路素子を半透明のブレッドボード上のどこに設置すべきかを示す、半透明のブレッドボードの下のディスプレイ・スクリーンの部分を照明するための信号をディスプレイ・スクリーンに送信することを含んでもよい。
【０００８】
電子的なブレッドボード・システムはディスプレイ・スクリーンを含むコンピューティング・デバイスを含んでもよい。ディスプレイ・スクリーンは電子回路モデルを表示するための第１の部分、及び第１の部分に直接隣接する第２の部分を有する。電子的なブレッドボード・システムはまたディスプレイ・スクリーンの第２の部分に半透明のブレッドボードを含む。半透明のブレッドボードは複数の接点を露出する開口部の方形グリッドを有する半透明な表板を含む。複数の接点は開口部の方形グリッドの各行に沿って長さ方向に、且つ複数の接点を半透明な表板に連結する透明な背面板に直交するように配置される。電子的なブレッドボード・システムは、半透明のブレッドボードの行開口部及び／又は列開口部を照明して、電子回路モデルとのユーザー対話に応答してコンピュータ・モデルの電気部品の設置を導くための手段を含む。
【０００９】
ここでは、以下の詳細な説明がよりよく理解されるように本開示の特徴及び技術的な利点を、どちらかと言えば広義に概説してきた。本開示の追加の特徴及び利点を以下に説明する。本開示の同一の目的を実施するために、他の構造を修正すること又は設計することの基礎として、本開示は容易に利用されることができることを当業者によって諒解されたい。また、そのような等価な構築物は、添付の特許請求の範囲において説明される本開示の教示から逸脱しないことを当業者によって理解されたい。本開示の特性として信じられる新規な特徴は、その体系及び操作の方法の両方に関して、更なる目的及び利点とともに、添付の図面と併せて考慮した時以下の説明からよりよく理解されよう。しかしながら、図面のそれぞれは例示及び説明の目的のためのみに提供され、本開示の限定の定義として意図されていないことは明らかに理解される。
【００１０】
本開示のより完全な理解のために、添付の図面と併せて以下の説明を参照する。
【図面の簡単な説明】
【００１１】
【図１Ａ】本開示の態様による、ブレッドボードの構成の上面図である。
【図１Ｂ】本開示の態様による、図１Ａのブレッドボードの短側面図である。
【図１Ｃ】本開示の態様による、図１Ａのブレッドボードの長側面図である。
【図２Ａ】本開示の態様による、図１Ａの半透明のブレッドボードの中身の分解図である。
【図２Ｂ】本開示の態様による、Ｘ−接点の側面視を含む図１Ａの半透明のブレッドボードの上面図である。
【図３Ａ】本開示の態様による、Ｘ−接点を更に例示する半透明のブレッドボードの側面図に沿った断面図である。
【図３Ｂ】本開示の態様による、図３Ａにおいて更に例示される断面Ａ−Ａ’を示す、図１Ａの半透明のブレッドボードの上面図である。
【図３Ｃ】本開示の態様による、断面Ｂ−Ｂ’内のＸ−接点及びＹ−接点を示す、半透明のブレッドボードの縁部に沿った断面図である。
【図３Ｄ】本開示の態様による、図１Ａの半透明のブレッドボードの中身を底から見た分解図である。
【図３Ｅ】本開示の態様による、Ｘ−接点及びＹ−接点を更に例示する図１Ａの半透明のブレッドボードの立体視である。
【図４】本開示の態様による、例示的なコンピューティング・デバイスに搭載される図３Ｅの半透明のブレッドボードの立体視である。
【図５Ａ】本開示の態様による、コンピューティング・デバイスのディスプレイ上で見え得るとおりの回路概略図のユーザーからの見え方を示す図である。
【図５Ｂ】本開示の態様による、図５Ａの回路概略図を表示するコンピューティング・デバイスに取り付けられた半透明のブレッドボードの「ユーザーからの見え方」を示す。
【図５Ｃ】本開示の態様による、図５Ａの回路概略図を表示するコンピューティング・デバイスに取り付けられた半透明のブレッドボードの「ユーザーからの見え方」を示す。
【図５Ｄ】本開示の態様による、図５Ａの回路概略図を表示するコンピューティング・デバイスに取り付けられた半透明のブレッドボードの「ユーザーからの見え方」を示す。
【図６Ａ】本開示の態様による、ラップトップ・コンピュータ、デスクトップ・コンピュータ、コンピュータ・モニタ、タブレット・コンピュータ、及びモバイル・デバイスを含む様々なコンピューティング・デバイス及びディスプレイ・スクリーンに接続された図３Ｅの半透明のブレッドボードを示す。
【図６Ｂ】本開示の態様による、ラップトップ・コンピュータ、デスクトップ・コンピュータ、コンピュータ・モニタ、タブレット・コンピュータ、及びモバイル・デバイスを含む様々なコンピューティング・デバイス及びディスプレイ・スクリーンに接続された図３Ｅの半透明のブレッドボードを示す。
【図６Ｃ】本開示の態様による、ラップトップ・コンピュータ、デスクトップ・コンピュータ、コンピュータ・モニタ、タブレット・コンピュータ、及びモバイル・デバイスを含む様々なコンピューティング・デバイス及びディスプレイ・スクリーンに接続された図３Ｅの半透明のブレッドボードを示す。
【図６Ｄ】本開示の態様による、ラップトップ・コンピュータ、デスクトップ・コンピュータ、コンピュータ・モニタ、タブレット・コンピュータ、及びモバイル・デバイスを含む様々なコンピューティング・デバイス及びディスプレイ・スクリーンに接続された図３Ｅの半透明のブレッドボードを示す。
【図６Ｅ】本開示の態様による、ラップトップ・コンピュータ、デスクトップ・コンピュータ、コンピュータ・モニタ、タブレット・コンピュータ、及びモバイル・デバイスを含む様々なコンピューティング・デバイス及びディスプレイ・スクリーンに接続された図３Ｅの半透明のブレッドボードを示す。
【図６Ｆ】本開示の態様による、ラップトップ・コンピュータ、デスクトップ・コンピュータ、コンピュータ・モニタ、タブレット・コンピュータ、及びモバイル・デバイスを含む様々なコンピューティング・デバイス及びディスプレイ・スクリーンに接続された図３Ｅの半透明のブレッドボードを示す。
【図６Ｇ】本開示の態様による、ラップトップ・コンピュータ、デスクトップ・コンピュータ、コンピュータ・モニタ、タブレット・コンピュータ、及びモバイル・デバイスを含む様々なコンピューティング・デバイス及びディスプレイ・スクリーンに接続された図３Ｅの半透明のブレッドボードを示す。
【図６Ｈ】本開示の態様による、ラップトップ・コンピュータ、デスクトップ・コンピュータ、コンピュータ・モニタ、タブレット・コンピュータ、及びモバイル・デバイスを含む様々なコンピューティング・デバイス及びディスプレイ・スクリーンに接続された図３Ｅの半透明のブレッドボードを示す。
【図６Ｉ】本開示の態様による、ラップトップ・コンピュータ、デスクトップ・コンピュータ、コンピュータ・モニタ、タブレット・コンピュータ、及びモバイル・デバイスを含む様々なコンピューティング・デバイス及びディスプレイ・スクリーンに接続された図３Ｅの半透明のブレッドボードを示す。
【図６Ｊ】本開示の態様による、ラップトップ・コンピュータ、デスクトップ・コンピュータ、コンピュータ・モニタ、タブレット・コンピュータ、及びモバイル・デバイスを含む様々なコンピューティング・デバイス及びディスプレイ・スクリーンに接続された図３Ｅの半透明のブレッドボードを示す。
【図７】本開示の態様による、グラフィカルな及びテキストのフォーマットで電子機器部品の設置に関してそのユーザーに命令を提供する、実例のコンピューティング・デバイスと使用した図３Ｅの半透明のブレッドボードのユーザーの視界を示すワイヤーフレーム画像である。
【図８Ａ】本開示の態様による、半透明のブレッドボードの構成の上面図である。
【図８Ｂ】本開示の態様による、図８Ａのブレッドボードの背面図である。
【図８Ｃ】本開示の態様による、図８Ａのブレッドボードの背面図を更に例示する図である。
【図８Ｄ】本開示の態様による、図８Ａのブレッドボードの長側面図である。
【図８Ｅ】本開示の態様による、図８Ａのブレッドボードの背面図を更に例示する図である。
【図９Ａ】本開示の態様による、電子的なブレッドボード・システムを形成するためにコンピューティング・デバイスと使用した半透明のブレッドボードの斜視図である。
【図９Ｂ】本開示の態様による、電子的なブレッドボード・システムを形成するためにコンピューティング・デバイスと使用した半透明のブレッドボードの斜視図である。
【図９Ｃ】本開示の態様による、電子的なブレッドボード・システムを形成するためにコンピューティング・デバイスと使用した半透明のブレッドボードの斜視図である。
【図９Ｄ】本開示の態様による、電子的なブレッドボード・システムを形成するためにコンピューティング・デバイスと使用した半透明のブレッドボードの斜視図である。
【図１０】本開示の態様による、ブレッドボード実験のための方法を例示するフロー・チャートである。
【図１１】本開示の態様が有利に採用され得る例示的な無線通信システムを示すブロック図である。
【発明を実施するための形態】
【００１２】
添付の図面と併せて以下に説明される詳細な説明は様々な構成の説明として意図されており、本明細書に記載される概念を実用化し得る構成のみを表現することを意図するものではない。詳細な説明は様々な概念の詳細な理解を提供する目的のために特定の詳細を含む。しかしながら当業者にとっては、これらの概念はこれらの特定の詳細なしに実用化され得ることが明らかであろう。いくつかの例において、よく知られた構造及び部品は、そのような概念を曖昧にすることを避けるためにブロック図の形態で示される。
【００１３】
本明細書に記載されるように、用語「及び／又は」の使用は「包括的ＯＲ」を表現することを意図されており、用語「又は」の使用は「排他的ＯＲ」を表現することを意図されている。本明細書に記載されるように、この説明を通して使用される用語「例示的な」は「実例、例、又は例示として機能する」ことを意味し、必ずしも他の例示的な構成よりも好適又は有利であるべきと解釈されるべきではない。本明細書に記載されるように、この説明を通して使用される用語「連結される」は、「介在的な接続（例えば、スイッチ）、電気的な、機械的な、又はそれ以外のやり方を通して、直接的又は間接的のいずれかで接続される」ことを意味し、必ずしも物理的な接続に限定されない。追加で、接続は、対象物が永続的に接続される又は解放可能に接続されることを可能にするようなものであってよい。接続はスイッチを介するものであってよい。本明細書に記載されるように、この説明を通して使用される用語「近接する」は「隣接する、とても近くに、隣り合って、又は近くに」を意味する。本明細書に記載されるように、この説明を通して使用される用語「の上で」はいくつかの構成では「の直接上で」を意味し、及び他の構成では「の間接的に上で」を意味する。
【００１４】
ブレッドボードは一般に電気的回路の実験モデルの作成のための基板として定義される。すなわち、ブレッドボードは電子回路の実際に動く試作品を構築するための構築基板として使用することができる。残念ながら、ブレッドボードは実際に動く試作品を構築するために回路部品及び電源を内部接続するためのいかなる案内も提供しない受動的なデバイスである。結果的に、ブレッドボード上の回路部品の配線には誤りがあり得、回路の誤動作をもたらすこともあり得る。
【００１５】
本開示の態様において、電子機器実験システムのブレッドボードによって、そのユーザーは部品の設置のガイドとしてコンピューティング・デバイスのディスプレイ・スクリーンを使用することでそのような電子機器部品を正確にブレッドボードに設置することができるようになる。ブレッドボード及び電子機器実験システムの他の構成もまた記載される。
【００１６】
一般的には、本開示の態様はシースルーの（例えば、半透明な）ブレッドボード、並びにそのブレッドボードを使用する方法及びシステムを提供する。具体的には、本開示の態様は、ブレッドボードにすぐ隣接して且つ後ろにあるディスプレイ・スクリーン上に表示される対象物を使用することで、ユーザーが半透明のブレッドボード上に電子機器部品を設置することを導く。表示される対象物はブレッドボードの前でユーザーに見える。
【００１７】
本開示の態様によって、グラフィカル・ユーザー・インターフェース（「ＧＵＩ」）は電子機器シミュレーション及び実験プログラムによって制御され、電子回路の視覚的イメージ（対象物）を表示する。これらの表示される対象物は、共に電子回路を形成するそれらの電気的な端子又はピンを含む配線トレース及び電気部品を表現し、更には似せることができる。電子回路はユーザーが実際の電気部品及び配線セグメントを表示される対象物にすぐ又は直接隣接して位置付けられるブレッドボードの開口部に挿入すると実現化される。
【００１８】
電子回路を表示することに加えて、表示される電子回路とのユーザー対話は、配線セグメント及び部品（それらの端子又はピン）が挿入されることになるブレッドボードにおける場所（例えば、行開口部及び／又は列開口部）を照明するためにトラッキングされる。本開示のこの態様においては、電子機器部品の物理的なレイアウトと電子機器シミュレーション及び実験プログラムによって表示される図において電子機器部品によって表現される抽象物との間でマッピング処理が実施される。結果的にこれらの場所はブレッドボードの上で簡単に見ることができ、ユーザーが正確に電子機器部品の端子又はピンをブレッドボードの表板に挿入することを可能にする。ブレッドボードの行／列開口部を照明することは、電子回路の端子及び配線セグメントの電気的な接続を正しいやり方でガイドすることを助け、接続間違いを低減することに役立つ。
【００１９】
したがって、電気的な回路／ネットワーク・ノード又はトレース又は部品端子又は設置面積を表現する対象物は、ブレッドボードに直接隣接するスクリーン上に表示される（すなわちブレッドボードのユーザーによって肉眼でも見ることができる）。ユーザーが表示された電気的な回路と対話すると、ブレッドボードの直接下のディスプレイ・スクリーンのエリアは照明され、ブレッドボードに実際の電子機器部品及び配線セグメントを適切に設置するための視覚的なガイドを提供する。すなわち回路は、半透明のブレッドボードを通してユーザーに見える照明された開口部によって回路素子を接点の１つと電気的に接触して設置するために、半透明のブレッドボードの場所を照明することによってガイドされる。このやり方で、ブレッドボード上の部品及び配線セグメントの設置はより正確になる可能性がある。
【００２０】
ブレッドボード及び電子機器実験システムは、ディスプレイ・スクリーン（例えば、ＧＵＩを実行するタブレット・コンピュータ、専用モニタに接続されたデスクトップ・コンピュータ、等）を有する半透明のブレッドボード及びコンピューティング・デバイスを備えることができる。この配置において、半透明のブレッドボードの一面上でディスプレイ・スクリーンからの光は十分に半透明のブレッドボードの透明な背面板を通過し、開口部の方形グリッドを有する半透明な表板から出てくることができる。ディスプレイ・スクリーンからの光は半透明のブレッドボードの１つ又は複数の開口部のセットを正確に照明するために肉眼に見える。
【００２１】
この実例においては、照明された開口部は、開口部に挿入される電気的な部品の電気的なトレース又は部品端子に対応する配線セグメントを受け入れるために使用される。ディスプレイ・スクリーンはまた、半透明のブレッドボードによって覆われないスクリーンの一部において回路概略を同時に表示することができる。挿入される配線セグメント及び部品端子に対応する電気的なトレース又は部品は、回路概略を構築するために強調されるか、又は明暗をつけられる（回路概略の残りに対して）。例示的なブレッドボード及び電子機器実験システムは、例えば図５Ｂ〜図５Ｄに示される。
【００２２】
本明細書に記載されるように、電子機器部品は、電子の動きに影響を与えるために使用される任意の物理的な部品である。電子機器部品は他の電子機器部品に接続するための１つ又は複数の端子を含む。例えば、電子機器部品は抵抗器、キャパシタ、インダクタ、トランジスタ、ダイオード、集積回路、スイッチ、演算増幅器、電圧源、電流源、又は任意の他の電子機器部品であってよい。
【００２３】
図１Ａは１つ又は複数の本開示の態様にしたがう実例の半透明のブレッドボード１００の上面図を示す。図１Ｂは半透明のブレッドボード１００の短側面図を示す。図１Ｃは本開示の態様における半透明のブレッドボード１００の長側面図を示す。
【００２４】
図１Ａに示すように、半透明のブレッドボード１００は第１の開口部１０２の方形のグリッド１２０を有する半透明な表板１１０を含む。第１の開口部１０２は電子回路を形成するための電子機器部品のピン及び配線の設置のために、行として配置されている。半透明な表板１１０はまた接続、例えば電源のため、第２の開口部１０４の列１３０を含む。半透明のブレッドボード１００はまた第１の２面雌コネクタ１０６及び第２の２面雌コネクタ１０８を含む。半透明な表板１１０の第１の開口部１０２及び第２の開口部１０４は図２Ａ及び図２Ｂで更に例示するように接点を露出してもよい。
【００２５】
図２Ａは、本開示の態様による、図１Ａの半透明のブレッドボード１００の中身の分解図である。この構成において、半透明のブレッドボード１００は、その中に形成される第１の開口部１０２の方形グリッド１２０及び第２の開口部１０４の列１３０を有する半透明な表板１１０（例えば、電気的に絶縁される板）を備える。半透明と記載されるが、本開示の態様によると、図１Ａの半透明のブレッドボード１００はまた透明な背面板１６０と組み合わせて透明な表板を含んで、透明なブレッドボードを形成してもよいことを認識されたい。
【００２６】
再び図２Ａを参照すると、半透明のブレッドボード１００は、本明細書においてＹ−接点１５０と称される少なくとも２つのＹ方向に細長い導電性の接点を備える接点の層を含む。Ｙ−接点１５０はそれぞれ半透明な表板１１０において第２の開口部１０４の列１３０の後ろを走る列として配向される。電源レール（例えば、バス・ストリップ）として機能し得るＹ−接点１５０は、半透明な表板１１０に対して直交して配置され、ディスプレイ・スクリーンからの光が第２の開口部１０４から発せられることを可能にしている。接点の層はまた本明細書においてＸ−接点１４０と称される導電性の細長い接点のいくつかの行を含む（例えば、Ｙ方向に直交するＸ方向に配置される）。
【００２７】
本開示のこの態様において、Ｘ−接点１４０はそれぞれ、方形グリッド１２０における第１の開口部１０２のそれぞれの行の後ろに行（例えば、１４２）として配向される。この配置において、Ｘ−接点１４０は、電子回路を形成するために半透明のブレッドボード１００（例えば、端子ストリップ）に取り付けられた電子機器部品及び配線セグメントの端子に接続する。半透明のブレッドボード１００はまた、Ｘ−接点１４０及びＹ−接点１５０を含む接点の層を半透明な表板１１０に固定するために、透明な電気的に絶縁性の背面（例えば、透明な背面板１６０）を含む。
【００２８】
この配置において、Ｘ−接点１４０及びＹ−接点１５０は透明な背面板１６０に対して直交して配置され、ディスプレイ・スクリーンからの光が第１の開口部１０２及び第２の開口部１０４から発せられることを可能にしている。加えて、透明な背面板１６０は方形グリッド１２０において第１の開口部１０２の底端部を、並びに列１３０において第２の開口部の底端部を閉じるために機能する。この実例においては、半透明な表板１１０の反対側の面は、Ｘ−接点１４０及びＹ−接点１５０を保持するためにレセプタクル・チャネルを形成するためにエッチングされている。この実例においては、Ｘ−接点１４０及びＹ−接点１５０は、透明な背面板１６０によって半透明な板のレセプタクル・チャネル内に保持されている。
【００２９】
半透明のブレッドボード１００はまた半透明のブレッドボード１００におけるＸ−接点１４０の第２のセットのセブセットであるＸ−接点１４０の第１のセットが、コンピューティング・デバイスのコネクタの接点のセットに電気的に接続されるように（例えば、図６Ａ〜図６Ｊ）ように構成されてもよい。このやり方で、Ｘ−接点１４０の第１のセットは、半透明のブレッドボード１００（その開口部はそれぞれＸ−接点１４０の第１のセットに位置合わせされる）の第１の開口部１０２に挿入されていた電子機器部品の端子を、コンピューティング・デバイス（図示せず）に電気的に接続するために機能することができる。この接続は、コンピューティング・デバイスにおいて実行しているプログラムが半透明のブレッドボード１００上にある電子機器部品と通信することを可能にする。半透明のブレッドボード１００は、アクリロニトリル・ブタジエン・スチレン（ＡＢＳ）プラスチック、ポリカーボネート・プラスチック、シリコーン、ガラス、又は他の同様の材料を含むことができる。
【００３０】
図２Ｂは本開示の態様による、Ｘ−接点１４０の側面視を含む半透明のブレッドボード１００の上面図である。この配置において、方形グリッド１２０のＸ−接点１４０及び列１３０のＹ−接点１５０は光が第１の開口部１０２及び第２の開口部１０４を通って発せられるように半透明な表板１１０に直交する。図２Ｂにおいて更に例示されるように、断面Ａ−Ａ’は方形グリッド１２０おける行のサブセットを強調して、図３Ａで更に例示されるように半透明な表板１１０に対するＸ−接点１４０の直交する配置を更に例示する。
【００３１】
図３Ａは、本開示の態様による、図３Ｂの断面Ａ−Ａ’に沿った半透明のブレッドボード１００の縁部の分解図の断面図であり、第１の開口部１０２内に設置されてＸ−接点１４０によって固定される電子機器部品３１０を示している。図３Ｂは、本開示の態様による、図３Ａにおいて更に例示される断面Ａ−Ａ’を示す、図１Ａの半透明のブレッドボードの上面図である。
【００３２】
図３Ａは、半透明のブレッドボード１００の断面図であり（また、図３Ｂに示される断面Ａ−Ａ’の拡大図である）、電子機器部品３１０の端子３１２（例えば、ピン）が半透明のブレッドボード１００のＸ−接点１４０に接触するために、どのように半透明な表板１１０の第１の開口部１０２内に嵌るかを図示する。また、図３ＡのＡ−Ａ’に示されるのは、半透明のブレッドボード１００の透明な背面板１６０であり、背面板１６０はディスプレイ・スクリーン３００の面上であり、それに対して平行である。透明な背面板１６０の表面はディスプレイ・スクリーン３００に当接してもよく、当接しなくてもよいが、ディスプレイ・スクリーン３００に隣接することを認識されたい。この配置において、例えば、電子機器部品３１０のトレースの場所又は端子３１２を示す、ディスプレイ・スクリーン上で照明された対象物は電子機器部品３１０に接続するに先立って第１の開口部１０２を通して拡大の必要なしに肉眼でユーザーに見えることができる。
【００３３】
図３Ａ及び図３Ｂに示す構成において、半透明のブレッドボード１００は透明な背面１６０に固定される半透明な表板１１０を含む。半透明な表板１１０は、中に形成された穴（例えば、第１の開口部１０２）のグリッドを有する半透明な、電気的に絶縁性の板を備えることができる。半透明な表板１１０内の第１の開口部１０２は、第１の開口部１０２の基部でＸレセプタクル・チャネル１２２内で第１の開口部１０２の側壁１１２に固定されるＸ−接点１４０を露出する。Ｘ−接点１４０は、電子機器部品（例えば、３１０）の端子（例えば、３１２）と半透明のブレッドボード１００（例えば、端子ストリップ）上に取り付けられた配線セグメント（図示せず）を接続する方形グリッド１２０において第１の開口部１０２のそれぞれの行の後ろの行として配向されてもよい。この構成において、Ｘ−接点１４０は、Ｘ−レセプタクル・チャネル１２２に設置され、透明な背面板１６０に対して直交し、ディスプレイ・スクリーン３００からの光が第１の開口部１０２を通して発せられることを可能にしている。
【００３４】
図３Ｃは、本開示の態様による、断面Ｂ−Ｂ’内のＸ−接点１４０及びＹ−接点１５０を示す、半透明のブレッドボード１００の縁部に沿った断面図である。この構成において、Ｙ−接点１５０はそれぞれ第２の開口部１０４の列１３０のそれぞれの列の後ろを走る列として配向され、電源レールとして機能してもよい（例えば、バス・ストリップ）。第２の開口部１０４の列１３０はまた、第１の開口部１０２の方形グリッド１２０内でＸ−接点１４０の行と直交する。
【００３５】
図３Ｄは、本開示の態様による、図１Ａの半透明のブレッドボード１００の中身を底から見た分解図である。半透明のブレッドボード１００は半透明な表板１１０に接点の層を固定するために、Ｘ−接点１４０及びＹ−接点１５０を含む透明な背面板１６０（例えば、透明な電気的に絶縁性の背面）を含む。
【００３６】
この配置において、半透明な表板１１０の底面はＹ−接点１５０が保持されるＹ−レセプタクル・チャネル１３２を形成するためにエッチングされている。半透明な表板１１０の底面はまた、Ｘ−接点１４０が保持されるＸ−レセプタクル・チャネル１２２を形成するためにエッチングされている。接点の層のＸ−接点１４０及びＹ−接点１５０は、半透明な表板１１０のＸ−レセプタクル・チャネル１２２及びＹ−レセプタクル・チャネル１３２内で透明な背面板１６０によって適所に保持されている。
【００３７】
図３Ｅは、本開示の態様による、Ｘ−接点１４０及びＹ−接点１５０を更に例示する図１Ａの半透明のブレッドボード１００の立体視である。半透明な表板１１０内には、第１の開口部１０２の方形グリッド１２０の行として形成される水平なチャネル、及び第２の開口部１０４の列１３０として形成される垂直なチャネルがある。Ｘ−接点１４０は方形グリッド１２０の行を直線状に並び、第１の開口部１０２によって露出される。同様に、Ｙ−接点１５０は列１３０を直線状に並び、及び第２の開口部１０４によって露出される。この配置において、図３Ａに示すように、Ｘ−接点１４０及びＹ−接点１５０は電子機器部品の当接する端子に圧力をかけ、半透明な表板１１０のチャネル壁（例えば、側壁１１２）に対して端子３１２を押し付けることによって半透明のブレッドボード１００内でそれらを固定する。
【００３８】
対照的に、従来のブレッドボードはブレッドボードの開口部の後ろで中央ポイントに向かって電子機器部品の端子に圧力をかけるばねクリップに頼っている。結果として、従来のばねクリップによって、ユーザーはそのような従来のブレッドボードを通して見ることができない。特に、ユーザーは水平に延在するセグメント（従来のブレッドボードの背面図において不透明な直方形を形成する）を含む従来のばねクリップのために従来のブレッドボードを通して見ることができない。すなわち、従来のブレッドボードのばねクリップはブレッドボードの開口部の後ろで２面から中心ポイントに向かって配線又は端子を挟み、ばねクリップの背面板が光がブレッドボードを通ることを遮っている。
【００３９】
本開示の態様による、半透明のブレッドボード１００において、方形グリッド１２０のチャネル化された行を直線状に並ぶＸ−接点１４０及び列１３０を直線状に並ぶＹ−接点１５０は、半透明な表板１１０内に搭載され、透明な背面板１６０に対して直交する。この直交する配置において、Ｘ−接点１４０及びＹ−接点１５０はそれらの平面の縁部に設置され（例えば、直立して）、透明な背面板１６０から半透明のブレッドボード１００に入ってくる光が半透明な表板１１０の第１の開口部１０２及び／又は第２の開口部１０４を通過することが可能となるように形作られる。Ｘ−接点１４０及びＹ−接点１５０は、従来のブレッドボードを通してユーザーの視野を覆い隠す水平に延在するばね接点のセグメントを有していないため、半透明な表板１１０の第１の開口部１０２及び／又は第２の開口部１０４からの光は、半透明のブレッドボード１００の上でユーザーの目に入る。
【００４０】
Ｘ−接点１４０及び／又はＹ−接点１５０の垂直に搭載される縁部のために、半透明のブレッドボード１００の半透明な表板１１０を通した及び透明な背面板１６０を通したユーザーの視界は覆い隠されていない。すなわち、Ｘ−接点１４０及び／又はＹ−接点１５０は半透明な表板１１０に形成される第１の開口部１０２及び／又は第２の開口部１０４の後ろで水平に延在するセグメントを有していない薄いストリップを使用して形成されるため、半透明な表板１１０を通って光が発せられることができる。換言すると、例えば、図３Ａに示すように、Ｘ−接点１４０及びＹ−接点１５０は、そのそれぞれのチャネル（例えば、Ｘ−レセプタクル・チャネル１２２／Ｙ−レセプタクル・チャネル１３２）の内部に位置付けられる一方で、その幅方向は垂直であり、一方ではその長さ方向は水平である（チャネルに沿って長さ方向に並べられる）ように配向され、且つユーザーの視界を覆い隠さないように十分に薄い、長さ、幅、及び厚さを有するストリップとして形成され得る。
【００４１】
１つの構成において、Ｘ−接点１４０及び／又はＹ−接点１５０のストリップ構造は、Ｘ−レセプタクル・チャネル１２２／Ｙ−レセプタクル・チャネル１３２の上で第１の開口部１０２のうちの１つ又は第２の開口部のうちの１つに挿入される部品の端子又は配線セグメントの直接後ろのＸ−レセプタクル・チャネル１２２／Ｙ−レセプタクル・チャネル１３２の基礎部分を覆い隠さない。図３Ａに示すように、Ｘ−接点１４０及びＹ−接点１５０のストリップ構造は、ユーザーが半透明のブレッドボード１００の直接後ろにあるディスプレイ・スクリーン３００上で照明されている対象物の周囲を十分に弁別できるようにする。
【００４２】
本開示の態様において、半透明のブレッドボード１００は半透明のブレッドボード１００をコンピューティング・デバイスのディスプレイ・スクリーンに取り付けることによってコンピューティング・デバイスと使用される。半透明のブレッドボード１００はいかなるツールも使用せずにユーザーによって取り外されるように設計される。この配置において、半透明のブレッドボード１００のＸ−接点１４０及びＹ−接点１５０の部分は、コンピューティング・デバイスのスクリーンを覆う。コンピューティング・デバイスのスクリーンは非スマートフォン構成のコンピューティング・デバイスによって実行される電子機器実験ソフトウェア・プログラムのグラフィカル・ユーザー・インターフェースを表示するように構成されてもよい。コンピューティング・デバイスは、限定はされないが、ラップトップ・コンピュータ、タブレット・コンピュータ、スマートフォン、携帯情報端末、又は他のモバイル・デバイスを含む１つ又は複数のモバイル・デバイスであってもよい。
【００４３】
１つ又は複数の構成において、半透明のブレッドボード１００は、コンピューティング・デバイスのプロセッサ又はコンピューティング・デバイスの他の回路への直接又は電子的に受動的な接続を有していない。１つの構成において、周辺デバイスはポート（例えば、ユニバーサル・シリアル・バス（ＵＳＢ）又はマイクロＵＳＢ）と半透明のブレッドボード１００との間で接続される。この周辺デバイスはコンピューティング・デバイスがコンピューティング・デバイスの汎用入力／出力（ＧＰＩＯ）ピンを介して半透明のブレッドボード１００にアクセスすることを可能にし得る。また、１つの構成において、トランジスタベースのデバイス又は他の能動的若しくは受動的な電子機器部品はブレッドボードの一部ではなく、又はブレッドボードに内蔵されておらず、任意のブレッドボード上の部品の信号の外部処理はコンピューティング・デバイスによってコネクタを介して発生する。他の構成において、集積回路及び受動的な素子（例えば、キャパシタ）などの回路部品は、半透明のブレッドボード１００を使用して回路に内部接続されてもよい。
【００４４】
図４は、本開示の態様による、コンピューティング・デバイス４００に搭載される図３Ｅの半透明のブレッドボード１００の立体視を提供する。図４は、コンピューティング・デバイス４００に内蔵される第１の嵌合コネクタ４０６及び第２の嵌合コネクタ４０８（例えば、雄ＤＢ２５コネクタ）に有線の電気的な接続を提供する第１の２面雌コネクタ１０６及び第２の２面雌コネクタ１０８（例えば、２面雌ＤＢ２５コネクタ）を有する半透明のブレッドボード１００の１つの構成を示している。この実例においては、半透明のブレッドボード１００は、ディスプレイ・スクリーン４２０もまた含まれているコンピューティング・デバイス４００のハウジング４１０に取り付けられている。
【００４５】
図５Ａは、本開示の態様による、コンピューティング・デバイス５００のディスプレイ・スクリーン５２０上で見え得るとおりの回路概略図５０２のユーザーからの見え方を示す。本開示の態様によると、ユーザーは半透明のブレッドボード１００上で回路概略図５０２の試作品を形成する時ガイドされる。例えば、コンピューティング・デバイス５００のグラフィック・コントローラは、ディスプレイ・スクリーン５２０上で電子回路モデルとのユーザー対話に応答して、半透明のブレッドボード１００の行開口部及び／又は列開口部を照明してコンピュータ・モデルの電気部品の設置を導くことができる。
【００４６】
図５Ｂ、図５Ｃ、図５Ｄは、本開示の態様による、図５Ａの回路概略図５０２を表示するコンピューティング・デバイス５００に取り付けられた半透明のブレッドボード１００の「ユーザーからの見え方」を示す。この実例においては、回路概略図５０２は実験の主題である。回路概略図５０２は、コンピューティング・デバイス５００のハウジング５１０内で、ディスプレイ・スクリーン５２０の第１の部分上に表示される。この実例においては、半透明のブレッドボード１００はコンピューティング・デバイス５００の右下角に嵌められ、ディスプレイ・スクリーン５２０の第１の部分に隣接する第２の部分を覆っている。
【００４７】
図５Ｂにおいて、半透明のブレッドボード１００の下のディスプレイ・スクリーン５２０上に、２つのバー５３０が表示されている。この実例においては、２つのバー５３０は回路概略図５０２において強調される電気的な部品の２つの端子がユーザーによって挿入されるべき場所を示している。ディスプレイ・スクリーン５２０上に表示される２つのバー５３０は半透明のブレッドボード１００の第１の開口部（例えば、１０２）を通して見える。すなわち、第１の開口部から発せられる光は、ブレッドボードの上面で下を見ていてもユーザーに明らかである。図５Ｃ及び図５Ｄにおいて、電子機器部品５４０は半透明のブレッドボード１００の照明された行に取り付けられている。
【００４８】
これらの実例において、半透明のブレッドボード１００は、そのユーザーによってコンピューティング・デバイス５００に取り付けられるように構成されており、コンピューティング・デバイス５００に取り付けられる、又は一体化されるコネクタ５５０でコンピューティング・デバイスに電気的に接続される。加えて、半透明のブレッドボード１００のＸ−接点１４０及び／又はＹ−接点１５０の少なくとも一部はコンピューティング・デバイス５００のディスプレイ・スクリーン５２０の第２の部分を覆う。第２の部分はディスプレイ・スクリーン５２０の第２の部分に隣接し、コンピューティング・デバイス５００によって実行される電子機器実験ソフトウェア・プログラムのグラフィカル・ユーザー・インターフェース（「ＧＵＩ」）を表示している。
【００４９】
図６Ａ〜図６Ｊは本開示の態様による、ラップトップ・コンピュータ、デスクトップ・コンピュータ、コンピュータ・モニタ、タブレット・コンピュータ、及びモバイル・デバイスを含む様々なコンピューティング・デバイス及びディスプレイ・スクリーンに接続された半透明のブレッドボード１００を示す。
【００５０】
図６Ａ及び図６Ｂは、本開示の態様による、有線接続６５０を介してラップトップ・コンピュータ６００との使用のために構成される半透明のブレッドボード１００の１つの構成を示す。この実例においては、半透明のブレッドボード１００はラップトップ・コンピュータ６００への有線接続６５０を使用して示されている。図６Ａにおいて、半透明のブレッドボード１００はラップトップ・コンピュータ６００のハウジング６１０の角でディスプレイ・スクリーン６２０に搭載される。図６Ｂにおいて、半透明のブレッドボード１００はハウジング６１０の縁部でディスプレイ・スクリーン６２０に搭載される。これらの実例において、有線接続６５０はラップトップ・コンピュータ６００のＵＳＢポートに接続されたＵＳＢ（ユニバーサル・シリアル・バス）ケーブルを使用して提供される。この実例は、半透明のブレッドボード１００とラップトップ・コンピュータ６００のＵＳＢポートとの間で接続された４本の配線（例えば、電圧（Ｖ）、グランド（Ｇ）、及び差動データ信号（Ｄ＋及びＤ−））を示す。
【００５１】
図６Ｃ及び図６Ｄは、本開示の態様による、有線接続６５０を介してデスクトップ・コンピュータ６６０との使用のために構成される半透明のブレッドボード１００の１つの構成を示す。この実例においては、半透明のブレッドボード１００はデスクトップ・コンピュータ６６０への有線接続６５０を使用して示されている。図６Ｃにおいて、半透明のブレッドボード１００はデスクトップ・コンピュータ６６０のハウジング６１０の角でディスプレイ・スクリーン６２０に搭載される。図６Ｄにおいて半透明のブレッドボード１００はハウジング６１０の縁部でディスプレイ・スクリーン６２０に搭載される。これらの実例において、有線接続６５０はまたデスクトップ・コンピュータ６６０のＵＳＢポートへのＵＳＢケーブル接続を使用して提供される。
【００５２】
図６Ｅ、図６Ｆ、及び図６Ｇは、本開示の態様による、有線接続６５５を介してタブレット・コンピュータ６７０との使用のために構成される半透明のブレッドボード１００の構成を示す。これらの実例において、半透明のブレッドボード１００はタブレット・コンピュータ６７０への有線接続６５５を使用して示されている。図６Ｅにおいて、半透明のブレッドボード１００はハウジング６１０の右下角でディスプレイ・スクリーン６２０に搭載される。図６Ｆにおいて、半透明のブレッドボード１００はハウジング６１０の右側の下縁部でディスプレイ・スクリーン６２０に搭載される。図６Ｇにおいて、半透明のブレッドボード１００はまたハウジング６１０の右側の下縁部でディスプレイ・スクリーン６２０に搭載される。これらの実例において、有線接続６５５はタブレット・コンピュータ６７０のマイクロＵＳＢポートへのマイクロＵＳＢケーブル接続を使用して提供される。
【００５３】
図６Ｈ、図６Ｉ、及び図６Ｊは、本開示の態様による、有線接続６５５を介してスマートフォン６８０との使用のために構成される半透明のブレッドボード１００の構成を示す。これらの実例において、半透明のブレッドボード１００はまたスマートフォン６８０への有線接続６５５を使用して示されている。図６Ｈにおいて、半透明のブレッドボード１００はハウジング６１０の右下角でディスプレイ・スクリーン６２０に搭載される。図６Ｉにおいて、半透明のブレッドボード１００はハウジング６１０の右側の上縁部でディスプレイ・スクリーン６２０に搭載される。図６Ｊにおいて、半透明のブレッドボード１００はまた、ハウジング６１０の右側の上縁部でディスプレイ・スクリーン６２０に搭載される。これらの実例において、有線接続６５５はまたスマートフォン６８０のマイクロＵＳＢポートへのマイクロＵＳＢケーブル接続を使用して提供される。
【００５４】
少なくとも１つの構成において、半透明のブレッドボード１００は有線接続（例えば、ケーブル）の一端で配線によって接続される。有線接続の他の端は、ＵＳＢコネクタなどのマルチコネクタ、デジタル通信ケーブルであってよい。この実例においては有線接続の他の端における別個のコネクタとして、半透明のブレッドボード１００のＸ−接点及びＹ−接点（図示せず）のサブセットに電気的に接続する（図６Ａ〜図６Ｊ）。少なくとも１つの構成において、マルチコンダクタ、デジタル通信ケーブルは、一端でコンピューティング・デバイスの内蔵コネクタに嵌合するコネクタを有し、そのようなケーブリングは半透明のブレッドボード１００内に収納される（例えば、永続的に取り付けられる）。他の端は、ブレッドボード上で所望のＸ−接点及びＹ−接点（図示せず）に電気的に接続される（図６Ｇ、図６Ｈ及び図６Ｉ）。
【００５５】
本開示の１つの態様において、様々なコンピューティング・デバイス（例えば、６００、６６０、６７０、６８０）は半透明のブレッドボード１００の設置を以下のように導く。ブレッドボードの設置処理はディスプレイ・スクリーン上で半透明のブレッドボードを設置するために位置合わせポイントを照明することによって始めることができる。この実例においては、ユーザーは、半透明のブレッドボード１００の表板を通してユーザーに見える、ディスプレイ・スクリーン６２０上で照明された画素としてＧＵＩ上で示される２つの画定ポイントを位置合わせする。位置合わせすると、ユーザーはスクリーン上で「進む」ボタンを押して位置合わせ処理が完了したことを示すことができる。
【００５６】
図６Ａ〜図６Ｊは半透明のブレッドボード１００とコンピューティング・デバイスとの間の様々な有線接続を記載しているが、本開示の態様はこれらの有線接続に限定されない。例えば、半透明のブレッドボード１００は無線接続（例えば、Ｗｉ−Ｆｉ接続）を使用してコンピューティング・デバイスに関連付けられるサーバーに通信可能に連結されてもよい。この実例においては、無線接続はコンピューティング・デバイスのディスプレイ・スクリーン上で半透明のブレッドボード１００のレイアウト設置を導くために使用することができる。この処理はコンピューティング・デバイスがディスプレイ・スクリーン上の半透明のブレッドボードの場所を検出することができるように使用されてもよい。加えて、回路概略とのユーザー対話は、電子機器部品及び配線の設置のために半透明のブレッドボード内の開口部の照明を可能にするために、関連付けられたサーバーを介してコンピューティング・デバイスに通信されてもよい。
【００５７】
少なくとも１つの構成において、コンピューティング・デバイス（例えば、６００、６６０、６７０、６８０）によって実行される電子実験ソフトウェアは、ユーザーが、ローカルディスクに存在するファイル又は任意の標準的なネットワーク・ソケット若しくはプロトコル（例えば、送信制御プロトコル（ＴＣＰ）、ユーザー・データグラム・プロトコル（ＵＤＰ）等）を介して利用可能なファイルから回路図を作成、編集、保存、ロードできるようにする。ユーザーは概略的な素子を追加及び除去し、それらを実際にテスト及び検証ができる回路に組み立てることができる。回路を構成する部品（すなわち、配線、センサ、チップ、キャパシタ、抵抗器、等）が回路に組み立てられて回路が動作する時、ソフトウェアはユーザーが半透明のブレッドボード１００上で回路の物理的な表現を作成することを可能にすることができる。例えば、ソフトウェアは半透明のブレッドボード１００上で実際に動く回路を作成するための一連のステップをユーザーに提案することができる。これは例えば、それぞれのステップが半透明のブレッドボード１００への部品の設置又は配線の端を設置のいずれかを詳細にする、一連のステップをユーザーに伝えることによって、達成することができる。
【００５８】
本開示の態様による、半透明のブレッドボード１００への部品の設置又は配線の端を設置は、部品又は配線の端が設置される半透明のブレッドボード１００における開口部の行の下でディスプレイ・スクリーン６２０上の画素を照明することにより特定される。ユーザーは任意選択で部品の配向の詳細に関する文脈上の情報を提案されることができる。例えば、この情報は、視覚的に、文字として、又はその組み合わせで提案され得る。完全な回路概略が半透明のブレッドボード１００の上で配置されると、電子実験ソフトウェアは、回路特性に関連する測定値を得ることによって半透明のブレッドボードから回路特性を受信することができる。この実例においては、測定値を得るために、コンピューティング・デバイスに半透明のブレッドボードを取り付けるための囲いの中にオシロスコープを一体化してもよい。
【００５９】
図７は、本開示の態様による、電子的なブレッドボード・システムを形成するためにコンピューティング・デバイス７００と使用した半透明のブレッドボード１００のワイヤーフレーム画像である。図７は、コンピューティング・デバイス７００のハウジング７１０に取り付けられた半透明のブレッドボード１００のユーザーの視界を示す。この実例においては、半透明のブレッドボード１００の半透明な表板の第１の開口部１０２の方形グリッド１２０及び／又は第２の開口部１０４の列１３０において電子機器部品を設置するために、命令がユーザーに提供される。半透明のブレッドボード１００に隣接するディスプレイ・スクリーン７２０の部分において示すように、ユーザーは文字のフォーマットで「ブレッドボード上で、＜部品名＞＜出力ピン＞から強調される行に配線を接続せよ」と命令される。文字はアルゴリズムによって生成されてもよく、又は文字は概略ファイルにおける構成によって上書きされてもよい。ユーザーは、半透明のブレッドボード１００の半透明な表板を通してユーザーに見えるポイントによって照明された強調される行１４２内の第１の開口部１０２のうちの１つの中に回路素子を設置することによって応答する（図５Ｂ、図５Ｃ及び図５Ｄ参照）。
【００６０】
図８Ａは、本開示の態様による、半透明のブレッドボード８００の構成の上面図である。図８Ｂは、本開示の態様による、図８Ａの半透明のブレッドボード８００の背面図である。図８Ｃは、本開示の態様による、図８Ａの半透明のブレッドボード８００の背面図を更に例示する。図８Ｄは、本開示の態様による、図８Ａの半透明のブレッドボードの長側面図である。図８Ｅは、本開示の態様による、図８Ａの半透明のブレッドボードの背面図を更に例示する
【００６１】
図８Ａに示すように、半透明のブレッドボード８００はまた第１の開口部１０２の第１の方形グリッド８２０−１及び第２の方形グリッド８２０−２（例えば、電子機器部品の設置のために２列及び３８行）を有する半透明な表板８１０を含む。第１の方形グリッド８２０−１及び第２の方形グリッド８２０−２はデュアル・インライン・パッケージ構成において、谷間によって隔てられてよい。第１の開口部８０２は、電子回路を形成するための電子機器部品のピン及び配線の設置のために、行として配置される。半透明な表板８１０はまた接続、例えば、電源（例えば、電源及びグランドレール）のための第２の開口部１０４の列８３０を含む。この構成において、列８３０は、列８３０をコンピューティング・デバイスの電源レール及びグランド・レールに接続するために、電源／グランド雌ピン開口部８７０（例えば、ポゴ・ピン）に連結される（図９Ａ参照）。
【００６２】
図８Ａは、本開示の態様による、半透明のブレッドボード８００の様々な寸法を例示する。この構成において、半透明のブレッドボード８００は、およそ長さ１３０ミリメートル及び幅９２ミリメートルの長方形の形状である（例えば、１３０ミリメートル×９０ミリメートル）。第１の方形グリッド８２０−１及び第２の方形グリッド８２０−２の寸法、列１３０、及びディスプレイ・スクリーンの縁部に対する列１３０の寸法（例えば、液晶ディスプレイ（ＬＣＤ）の縁部８１６）。
【００６３】
例えば、図８Ａに示すように、半透明のブレッドボード８００はまたコンピューティング・デバイスのディスプレイ・スクリーン上で半透明のブレッドボード８００の位置合わせを支援するための切り抜き部分８１２を含む。１つの構成において、半透明のブレッドボード８００はコンピューティング・デバイスのハウジングに固定するためのロック８１４を含む。半透明のブレッドボード８００の透明な粘着性の背面シート８６０の外形もまた示される。図８Ｂは図８Ａの半透明のブレッドボード８００の背面図であり、本開示の態様による透明な粘着性の背面シート８６０を更に例示する。この配置において、透明な粘着性の背面シート８６０はコンピューティング・デバイスのディスプレイ・スクリーンに接着するための粘着層を含む。この実例においては、透明な粘着性の背面シート８６０はおよそ０．２５ミリメートルの厚さを有する。
【００６４】
図１Ａから図１Ｃに示される半透明のブレッドボード１００の第１の２面雌コネクタ１０６及び第２の２面雌コネクタ１０８とは対照的に、半透明のブレッドボード８００はまたコンピューティング・デバイスに接続するための雌ピン８８０（例えば、ポゴ・ピン）を含む。雌ピン８８０は前側の雌ピン開口部８８２の第１の列及び後側の雌ピン開口部８８４の第２の列を含むことができる。前側の雌ピン開口部８８２は第１の方形グリッド８２０−１及び第２の方形グリッド８２０−２に接続されてもよく、第１の開口部８０２のいずれかに取り付けられる電子機器部品のいずれかの診断的読み取りを可能にする。後側の雌ピン開口部８８４を含む図８Ａの半透明のブレッドボード８００の背側面図は図８Ｃに更に例示される。
【００６５】
図８Ｃは、本開示の態様による、図８Ａの半透明のブレッドボード８００の背面図を更に例示する。この配置において、後側の雌ピン開口部８８４のそれぞれはピン接点８９０のうちの１つ通って前側の雌ピン開口部８８２のうちの１つに電気的に連結され、これは図８Ｅに更に例示される。透明な粘着性の背面シート８６０は、この実例においては、長さ１１０ミリメートル及び幅８５ミリメートル（例えば、１１０ミリメートル×８５ミリメートル）の長方形の形状を有して示される。加えて、図８Ｄに示すように、半透明のブレッドボード８００の厚さは５ミリメートルであってもよい。直交する接点を挿入するためのスロット深さは、更に図８Ｅに例示されるように３．２ミリメートルとして示される。
【００６６】
図８Ｅは、本開示の態様による、図８Ｃの半透明のブレッドボードの背面図を更に例示する。本開示のこの態様において、図８Ａに示されるように、半透明な表板８１０の第１の開口部８０２及び第２の開口部８０４は図８Ｅに示される直交する接点を露出してもよい。
【００６７】
図８Ｅに示される配置において、後側の雌ピン開口部８８４を前側の雌ピン開口部８８２に連結するピン接点８９０は、光が前側の雌ピン開口部８８２を通って発することができるように、半透明な表板８１０に直交している。半透明な表板８１０内には、第１の方形グリッド８２０−１及び第１の開口部８０２の第２の方形グリッド８２０−２の行として形成される水平なスロット（図８Ｄ参照）並びに第２の開口部８０４の列８３０として形成される垂直なスロットがある。Ｘ−接点８４０は第１の方形グリッド８２０−１及び第２の方形グリッド８２０−２の行を直線状に並べ、これは第１の開口部８０２によって露出されている。同様に、Ｙ−接点８５０は列８３０を直線状に並べ、第２の開口部１０４によって露出されている。この配置において、ピン接点８９０、Ｘ−接点８４０、及びＹ−接点８５０は電子機器部品の当接する端子に圧力をかけ、例えば、図３Ａに示すように端子３１２を半透明な表板１１０のチャネル壁（例えば、側壁１１２）に対して押し付けることによって、それらを半透明のブレッドボード８００内に固定する。
【００６８】
図９Ａ〜図９Ｄは、本開示の態様による、電子的なブレッドボード・システムを形成するためにコンピューティング・デバイス９００と使用した半透明のブレッドボード８００の斜視図である。図９Ａはコンピューティング・デバイス９００のハウジング９１０に取り付けられ、位置合わせポール９１２を含む、半透明のブレッドボード８００を示す。この実例においては、命令は、電子機器部品を、第１の開口部８０２の第１の方形グリッド８２０−１及び／若しくは第２の方形グリッド８２０−２並びに／又は半透明のブレッドボード８００の半透明な表板８１０の第２の開口部８０４の列８３０において設置するためにユーザーに提供されてもよい。ディスプレイ・スクリーンからの光は第１の開口部８０２、第２の開口部８０４及び／又は前側の雌ピン開口部８８２の行を照明することができ、すなわち、電子機器部品を設置するための半透明のブレッドボード８００の半透明な表板８１０を通ってユーザーに見える。
【００６９】
図９Ｂは半透明のブレッドボード８００の後側を例示しており、更に、例えば図９Ｃに示すように、コンピューティング・デバイスの対応する雄ピンと嵌合するための後側の雌ピン開口部８８４並びに電源／グランド雌ピン開口部８７０を例示している。
【００７０】
図９Ｃ及び図９Ｄは、本開示の態様による、コンピューティング・デバイス９００のハウジング９１０への取付け前の半透明のブレッドボード８００を示す。この実例においては、コンピューティング・デバイスのハウジングは位置合わせポール９１２、第１の位置合わせ壁部分９１４及び第２の位置合わせ壁部分９１６を含む。第２の位置合わせ壁部分９１６はハウジング上に配置され、半透明のブレッドボード８００の切り抜き部分８１２と嵌合する。ハウジング９１０はまた、コンピューティング・デバイス９００のハウジング９１０に固定するために、半透明のブレッドボード８００のロック８１４に対応するロック部分９１８を含む。
【００７１】
この構成において、コンピューティング・デバイス９００は半透明のブレッドボード８００の電源／グランド雌ピン開口部８７０と嵌合するための雄電源／グランド・ピン９７０を含む。コンピューティング・デバイス９００はまた半透明のブレッドボード８００の雌ピン８８０と嵌合する雄ピン９８０を含む。雄ピン９８０及び雌ピン８８０は、コンピューティング・デバイス９００が半透明のブレッドボード８００に取り付けられた電子機器部品及び回路にアクセスすることを可能にするために、ポゴ・ピンとして構成されてもよい。雄ピン９８０はコンピューティング・デバイス９００の汎用入力／出力（ＧＰＩＯ）ピン（例えば、Ｏｄｒｏｉｄ上のＧＰＩＯピン）にマッピングされてもよい。半透明のブレッドボード８００上に形成される回路の診断的解析はコンピューティング・デバイス９００のＧＰＩＯピンを介して実施されてもよい。
【００７２】
図１０は、本開示の態様による、ブレッドボード実験のための方法１０００を例示するフロー・チャートである。１つの構成において、ブレッドボードを使用する方法１０００は、図１０のフロー・チャートにおいて示される様々な操作を有しており、これらの操作のいくつかは以下に示される順序とは異なって実施されてもよいことに留意されたい。
【００７３】
ブロック１００２で、ユーザーはＧＵＩを介してコンピューティング・デバイス又はサーバーに存在する電子ファイルを選択する。このファイルは、ユーザーが実験している回路を形成する構成要素としての電気部品及びそれらの接続を含む電子回路の説明を提供することができる。例えば、ファイルにおいて列挙される部品は、ファイルによって定義される特定の回路に固有の一意の参照符号によって（例えば、ＩＣ４、Ｒ５）、及び共通して認識される名称若しくは部品番号（例えば、ＬＭ５５５）のいずれかによって、又はその電気的な特性（例えば、２．２ｋオーム  １／４Ｗ）によって特定されることができる。
【００７４】
ブロック１００４で、コンピューティング・デバイス（実行するソフトウェア）は半透明のブレッドボードの開口部大きさ及び開口部間隔（例えば、０．１インチ又は２．５４ｍｍ）を表現するように構成されてもよい。例えば、図３Ｅ、図７、図８Ａ〜図８Ｅに示すように、半透明のブレッドボード１００（又は８００）の半透明な表板１１０において、第１の開口部１０２の方形グリッド１２０及び第２の開口部１０４の列１３０の寸法及び場所は、実行するソフトウェアに提供される。この情報は、ＧＵＩによって駆動されるものとしてディスプレイ・スクリーン７２０上の半透明のブレッドボード１００の初期化、登録及び／又は位置合わせに使用される。例えば、第１の開口部１０２の方形グリッド１２０及び第２の開口部１０４の列１３０の位置は、実行するソフトウェアによってディスプレイ・スクリーンの画素又は表示座標に変換される。これは、回路素子の視覚的な表現を含む回路配線接続レイアウトを送信することを含む。
【００７５】
再び図１０を参照すると、ブロック１００６で、選択されたファイルはコンピューティング・デバイスによって解析され及び電気部品及びその接続（又はファイルに列挙される、回路／ネットワーク・ノード）は次いでブレッドボード開口部のセットのうちの個々のもの同士の接続にマッピングされる。例えば、図３Ｅ及び図７に示すように、電気部品及びその接続（例えば、電子機器部品の端子を介して又は回路によって定義される電気的なトレースを介して、のいずれかによって作成される）は、半透明な表板１１０における第１の開口部１０２の方形グリッド１２０及び／又は第２の開口部１０４の列１３０にマッピングされる。
【００７６】
ブロック１００８で、ブレッドボード開口部とブレッドボード開口部間の接続とのマッピングされたセットは、コンピューティング・デバイスによってブレッドボードの位置合わせの視野内へと変換される。開口部の変換は、ディスプレイ・スクリーン上で対象物（例えば、トレース及びスポット）を照明するための表示座標となるように、実施される。例えば、図７に示すように、強調される行１４２を照明する結果として、ユーザーは、正確な電気的な部品端子又はワイヤー・セグメントを、照明された対象物に位置合わせされた半透明のブレッドボード１００の正確な開口部に、簡単に挿入することになる。この実例においては、コンピューティング・デバイスはユーザーにとって遠位である半透明のブレッドボード１００の半透明な表板１１０を通して回路素子の設置の場所を表示する。設置の場所はユーザーに近位である半透明のブレッドボード１００の半透明な表板１１０を通して拡大することなくユーザーの肉眼で見える。そのようにするために、位置合わせ処理は上記に記載されるように必要とされ得る。
【００７７】
これらの記載される処理は例示的であるが、また他の処理を使用して半透明のブレッドボード１００上での回路実験を可能にすることもできる。例えば、この処理は回路素子の視覚的な表現を含む回路配線接続レイアウトをコンピューティング・デバイスによってディスプレイ・スクリーンに送信することを含むことができる。この処理はまたユーザーから回路素子の選択を受信することを含む。処理は更に、ユーザーが選択された回路素子を半透明のブレッドボード上のどこに設置すべきかを示す、半透明のブレッドボードの下のディスプレイ・スクリーンの部分を照明するための信号をディスプレイ・スクリーンに送信することを含む。
【００７８】
本開示の更なる態様によって、電子的なブレッドボード・システムを形成するためのコンピューティング・デバイスと使用される半透明のブレッドボードが記載される。電子的なブレッドボード・システムは、電子回路モデルとのユーザー対話に応答してコンピュータ・モデルの電気部品の設置を導くための半透明のブレッドボードの行開口部及び／又は列開口部を照明するための手段を含むことができる。照明するための手段は、例えば、図９Ａ及び図９Ｂに示すようなコンピューティング・デバイスのグラフィック・コントローラを含むことができる。別の態様において、前述の手段は前述の手段によって具陳される機能を実施するために構成される任意のレイヤ、モジュール、又は任意の装置であってよい。
【００７９】
図１１は開示の態様が有利に採用され得る例示的な無線通信システム１１００を示すブロック図である。例示の目的のため、図１１は３つの遠隔ユニット１１２０、１１３０及び１１５０並びに２つの基地局１１４０を示している。無線通信システムは多くの更なる遠隔ユニット及び基地局を有してもよいことが認識されよう。遠隔ユニット１１２０、１１３０及び１１５０は、開示されるＩＣデバイスを含むＩＣデバイス１１２５Ａ、１１２５Ｃ及び１１２５Ｂを含む。他のデバイスもまた基地局、スイッチング・デバイス及びネットワーク機器などの開示されるＩＣデバイスを含んでもよいことが認識されよう。図１１は基地局１１４０から遠隔ユニット１１２０、１１３０及び１１５０への順方向リンク信号１１８０並びに遠隔ユニット１１２０、１１３０及び１１５０から基地局１１４０への逆方向リンク信号１１９０を示す。
【００８０】
図１１において、遠隔ユニット１１２０は携帯電話として示され、遠隔ユニット１１３０はポータブル・コンピュータとして示され、及び遠隔ユニット１１５０は無線ローカル・ループ・システムにおける固定位置遠隔ユニットとして示されている。例えば、遠隔ユニットは、携帯電話、ハンドヘルド・パーソナル通信システム（ＰＣＳ）ユニット、パーソナル・データ・アシスタント、ＧＰＳ対応デバイス、ナビゲーション・デバイス、セット・トップ・ボックス、音楽プレーヤー、ビデオ・プレーヤー、エンターテインメント・ユニットなどのポータブル・データ・ユニット、検針機器などの固定位置データ・ユニット又は、データ若しくはコンピュータ命令又はその組み合わせを記憶又は検索する他のデバイスであってよい。図１１は本開示の態様にしたがって遠隔ユニットを例示しているが、本開示はこれらの例示的な例示されるユニットに限定されない。本開示の態様は、開示されるＩＣデバイスを含む多くのデバイスにおいて適切に採用されてよい。
【００８１】
ファームウェア及び／又はソフトウェアの実装のため、方法は本明細書に記載される機能を実施するモジュール（例えば、手順、機能、等）に実装されることができる。命令を有形に具体化する機械可読媒体は、本明細書に記載される方法を実装する際に使用されてもよい。例えば、ソフトウェア・コードはメモリに記憶され、プロセッサ・ユニットによって実行されてもよい。メモリはプロセッサ・ユニット内に又はプロセッサ・ユニットに対して外部に実装されることができる。本明細書で使用されるように、用語「メモリ」は長期、短期、揮発性、非揮発性、又は他のメモリのタイプを指し、特定のメモリのタイプ若しくはメモリの数、又はメモリが記憶される媒体のタイプに限定されない。
【００８２】
ファームウェア及び／又はソフトウェアに実装される場合、機能は１つ又は複数の命令又はコンピュータ可読媒体上のコードとして記憶され得る。実例としては、データ構造でエンコードされたコンピュータ可読媒体及びコンピュータ・プログラムでエンコードされたコンピュータ可読媒体が挙げられる。コンピュータ可読媒体は物理的なコンピュータ記憶媒体を含む。記憶媒体はコンピュータによってアクセスすることができる利用可能な媒体であってよい。実例として、及び限定ではなく、そのようなコンピュータ可読媒体としてはＲＡＭ、ＲＯＭ、ＥＥＰＲＯＭ、ＣＤ−ＲＯＭ若しくは他の光学ディスク記憶装置、磁気ディスク記憶装置若しくは他の磁気記憶デバイス、又は命令若しくはデータ構造の形態で所望のプログラム・コードを記憶するために使用されることができ、且つコンピュータによってアクセスすることができる他の媒体、を挙げることができる；ディスク（ｄｉｓｋ）及びディスク（ｄｉｓｃ）は、本明細書で使用されるように、コンパクト・ディスク（ＣＤ）、レーザー・ディスク、光学ディスク、デジタル多用途ディスク（ＤＶＤ）、フロッピー（登録商標）ディスク及びブルーレイ・ディスクを含み、ディスク（ｄｉｓｋ）は普通データを磁気的に再生する一方、ディスク（ｄｉｓｃ）は、レーザーで光学的にデータを再生する。上記の組み合わせもまたコンピュータ可読媒体の範囲内に含まれるべきである。
【００８３】
非一時的なコンピュータ可読媒体上に記憶することに加えて、命令及び／又はデータは、通信装置に含まれる送信媒体上に信号として提供されてもよい。例えば、通信装置は、命令及びデータを示す信号を有する送受信機を含んでもよい。命令及びデータは１つ又は複数のプロセッサに特許請求の範囲で概説される機能を実装させるように構成される。
【００８４】
本開示及びその利点が詳細に記載されてきたが、添付の特許請求の範囲によって定義されるような本開示の技術から逸脱することなく、本明細書において様々な変更、置換、及び改変がなされ得ることを理解されたい。例えば、「の上で」及び「の下で」などの関係性を表す用語は、基板又は電子デバイスとの関連によって使用される。もちろん、基板又は電子デバイスが反転された場合、「上」は「下」になり、その逆もあり得る。追加で、側方に配向されている場合、「の上で」及び「の下で」は基板又は電子デバイスの側面を指すことがある。更に、本出願の範囲は本明細書に記載される処理、機械、製造、物質の組成物、手段、方法及びステップの特定の構成に限定することを意図されていない。当業者のうちの１人が本開示から容易に諒解するように、処理、機械、製造、物質の組成物、手段、方法又はステップ、実質的に同じ機能を実施する若しくは本明細書に記載される対応する構成と実質的に同じ結果を達成する現在存在するもの又は後に開発されるであろうものは、本開示にしたがって利用されてよい。したがって、添付の特許請求の範囲は、そのような処理、機械、製造、物質の組成物、手段、方法又はステップをその範囲に含むことを意図されている。
【００８５】
当業者は、本明細書の開示と併せて記載される様々な説明的な論理ブロック、モジュール、回路及びアルゴリズム・ステップは、電子的なハードウェア、コンピュータ・ソフトウェア又は両者の組み合わせとして実装されてもよいことを更に諒解するであろう。ハードウェア及びソフトウェアのこの互換性を明確に例示するために、様々な説明的な構成要素、ブロック、モジュール、回路及びステップが全般的にその機能性の観点から上記で記載されてきた。そのような機能性がハードウェア又はソフトウェアとして実装されるかどうかは、特定の用途及びシステム全体に課される設計制約に依存する。当業者は記載される機能性をそれぞれの特定の用途ごとに様々な方法で実装することができるが、そのような実装の決定は本開示の範囲から逸脱を起こすものとして解釈されるべきではない。
【００８６】
本明細書の開示と併せて記載される様々な説明的な論理ブロック、モジュール及び回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）若しくは他のプログラム可能論理デバイス、ディスクリート・ゲート若しくはトランジスタ・ロジック、ディスクリート・ハードウェア構成要素、又は本明細書に記載される機能を実施するように設計された任意のその組み合わせで、実装又は実施され得る。汎用プロセッサはマイクロプロセッサであってよく、しかし代替態様においては、プロセッサは任意の従来のプロセッサ、コントローラ、マイクロコントローラ又は状態機械であってよい。プロセッサはまた、コンピューティング・デバイス（例えば、ＤＳＰとマイクロプロセッサの組み合わせ、複数のマイクロプロセッサ、ＤＳＰコアと併せた１つ若しくは複数のマイクロプロセッサ、又は任意の他のそのような構成）の組み合わせとして実装されてもよい。
【００８７】
本開示と併せて記載される方法のステップ又はアルゴリズムは、ハードウェアとして、プロセッサによって実行されるソフトウェア・モジュールとして、又はその２つの組み合わせとして直接具体化されることができる。ソフトウェア・モジュールはＲＡＭ、フラッシュ・メモリ、ＲＯＭ、ＥＰＲＯＭ、ＥＥＰＲＯＭ、レジスタ、ハードディスク、取り外し可能ディスク、ＣＤ−ＲＯＭ、又は当分野で既知の任意の他の形態の記憶媒体に存在することができる。例示的な記憶媒体は、プロセッサが記憶媒体から情報を読み取り、且つ記憶媒体に情報を書き込むことができるように、プロセッサに連結されている。代替態様においては、記憶媒体はプロセッサに一体的であってもよい。プロセッサ及び記憶媒体はＡＳＩＣに存在することができる。ＡＳＩＣはユーザー端子に存在することができる。代替態様においては、プロセッサ及び記憶媒体はユーザー端子内の別個の部品として存在することができる。
【００８８】
１つ又は複数の例示的な設計において、記載される機能はハードウェア、ソフトウェア、ファームウェア又はその任意の組み合わせとして実装されることができる。ソフトウェアに実装される場合、機能は１つ又は複数の命令又はコードとして、コンピュータ可読媒体上に記憶され、又はそれを介して送信される。コンピュータ可読媒体は、ある場所から別の場所へのコンピュータ・プログラムの移動を容易にする任意の媒体を含むコンピュータ記憶媒体及び通信媒体の両方を含む。記憶媒体は汎用又は特殊目的コンピュータによってアクセスされることのできる任意の利用可能な媒体であってよい。実例として、及び限定ではなく、そのようなコンピュータ可読媒体としてはＲＡＭ、ＲＯＭ、ＥＥＰＲＯＭ、ＣＤ−ＲＯＭ又は他の光学ディスク記憶装置、磁気ディスク記憶装置又は他の磁気記憶デバイス、或いは命令又はデータ構造の形態で規定のプログラム・コード手段を搬送又は記憶するために使用されることができ、且つ汎用若しくは特殊目的コンピュータ又は汎用若しくは特殊目的プロセッサによってアクセスされることができる任意の他の媒体、を挙げることができる。また、任意の接続は適切にコンピュータ可読媒体と呼ばれる。例えば、ソフトウェアがウェブサイト、サーバー又は同軸ケーブル、光ファイバー、より対線、デジタル・サブスクライバ・ライン（ＤＳＬ）、若しくは赤外、無線及びマイクロ波などの無線技術を使用する他のリモート・ソースから送信される場合、同軸ケーブル、光ファイバー、より対線、ＤＳＬ又は赤外、無線及びマイクロ波などの無線技術は媒体の定義の中に含まれる。ディスク（ｄｉｓｋ）及びディスク（ｄｉｓｃ）は、本明細書で使用されるように、コンパクト・ディスク（ＣＤ）、レーザー・ディスク、光学ディスク、デジタル多用途ディスク（ＤＶＤ）及びブルーレイ（登録商標）・ディスクを含み、ディスク（ｄｉｓｋ）は普通データを磁気的に再生する一方、ディスク（ｄｉｓｃ）は、レーザーで光学的にデータを再生する。上記の組み合わせもまたコンピュータ可読媒体の範囲内に含まれるべきである。
【００８９】
本開示の先の記載は任意の当業者が本開示を作成又は使用することを可能とするように提供される。本開示への様々な修正が当業者にとって容易に明らかとなり、本明細書で定義される一般的な原理は本開示の精神又は範囲から逸脱することなく他の変形に適用されることができる。したがって、本開示は、本明細書に記載される実例及び設計に限定されることを意図されておらず、本明細書において開示される原理及び新規な特徴に一貫性のある最も広い範囲と一致するものである。
【図１Ａ】
2019531545.tif 000003
【図１Ｂ】
2019531545.tif 000004
【図１Ｃ】
2019531545.tif 000005
【図２Ａ】
2019531545.tif 000006
【図２Ｂ】
2019531545.tif 000007
【図３Ａ】
2019531545.tif 000008
【図３Ｂ】
2019531545.tif 000009
【図３Ｃ】
2019531545.tif 000010
【図３Ｄ】
2019531545.tif 000011
【図３Ｅ】
2019531545.tif 000012
【図４】
2019531545.tif 000013
【図５Ａ】
2019531545.tif 000014
【図５Ｂ】
2019531545.tif 000015
【図５Ｃ】
2019531545.tif 000016
【図５Ｄ】
2019531545.tif 000017
【図６Ａ】
2019531545.tif 000018
【図６Ｂ】
2019531545.tif 000019
【図６Ｃ】
2019531545.tif 000020
【図６Ｄ】
2019531545.tif 000021
【図６Ｅ】
2019531545.tif 000022
【図６Ｆ】
2019531545.tif 000023
【図６Ｇ】
2019531545.tif 000024
【図６Ｈ】
2019531545.tif 000025
【図６Ｉ】
2019531545.tif 000026
【図６Ｊ】
2019531545.tif 000027
【図７】
2019531545.tif 000028
【図８Ａ】
2019531545.tif 000029
【図８Ｂ】
2019531545.tif 000030
【図８Ｃ】
2019531545.tif 000031
【図８Ｄ】
2019531545.tif 000032
【図８Ｅ】
2019531545.tif 000033
【図９Ａ】
2019531545.tif 000034
【図９Ｂ】
2019531545.tif 000035
【図９Ｃ】
2019531545.tif 000036
【図９Ｄ】
2019531545.tif 000037
【図１０】
2019531545.tif 000038
【図１１】
2019531545.tif 000039
【国際調査報告】
2019531545.tif 000040